(57)【要約】      （修正有）【課題】モバイル機器によりハードウェアの状態データを無線で監視・制御することができるグラフィックカード無線監視制御装置を提供する。【解決手段】主な構造はグラフィックカード１からなり、グラフィックカード１はグラフィックカード１のデータに接続され、グラフィックカード１におけるハードウェアの状態データを制御する制御部１１と、モバイル機器３内に設けられ、制御部１１にワイヤレスデータ接続されたモバイル制御ソフトウェア３１を備えることで、ハードウェアの状態データを制御し且つ表示する。制御部１１はグラフィックカード１の作動温度、ファンの回転速度、処理周波数等のハードウェアの状態データを制御する。モバイル制御ソフトウェア３１はハードウェアの状態データを制御し且つ表示する。モバイル機器３によってモバイル制御ソフトウェア３１を使用して制御部１１にワイヤレス接続でき、グラフィックカード１におけるハードウェアの状態データを監視・制御することができる。【選択図】図４
0003213636.tif 000002
【実用新案登録請求の範囲】
【請求項１】
グラフィックカードと、モバイル制御ソフトウェアと、からなるグラフィックカード無線監視制御装置であって、
前記グラフィックカードは、前記グラフィックカードのデータと接続された制御部を備えるとともに、前記グラフィックカードにおけるハードウェアの状態データを制御し、
前記モバイル制御ソフトウェアは、モバイル機器の中に設けられ且つ前記制御部にワイヤレスデータ接続されるとともに、前記ハードウェアの状態データを制御し且つ表示することを特徴とする、グラフィックカード無線監視制御装置。
【請求項２】
前記グラフィックカードの一側には、マザーボードが設けられることを特徴とする、請求項１に記載のグラフィックカード無線監視制御装置。
【請求項３】
前記制御部の上方には、少なくとも１つのファンが設けられることを特徴とする、請求項１に記載のグラフィックカード無線監視制御装置。
【請求項４】
前記ハードウェアの状態データは、作動温度、ファンの回転速度、または処理周波数のうちの１つであることを特徴とする、請求項１に記載のグラフィックカード無線監視制御装置。
【請求項５】
前記制御部は第１伝送部を備え、前記モバイル機器は第２伝送部を備え、前記第２伝送部は、前記モバイル制御ソフトウェアのデータに接続されるとともに、前記第２伝送部は、前記第１伝送部にワイヤレスデータ接続されることを特徴とする、請求項１に記載のグラフィックカード無線監視制御装置。
【請求項６】
さらに、前記制御部の一側に設けられるとともに前記制御部のデータに接続された表示装置を備え、前記グラフィックカードにおけるハードウェアの状態データを表示することを特徴とする、請求項１に記載のグラフィックカード無線監視制御装置。
【請求項７】
前記表示装置は、ＬＣＤディスプレイまたは７セグメントディスプレイのうちの１つであることを特徴とする、請求項６に記載のグラフィックカード無線監視制御装置。
【請求項８】
前記モバイル制御ソフトウェアは、アンドロイドのオペレーティングシステム（Ａｎｄｒｏｉｄ）またはアップルのオペレーティングシステム（ｉＯＳ）のうちの１つに適合し、作動することを特徴とする、請求項１に記載のグラフィックカード無線監視制御装置。
【考案の詳細な説明】
【技術分野】
【０００１】
本考案はグラフィックカード無線監視制御装置に関し、特に、モバイル機器によってグラフィックカードのハードウェアの状態データを無線で監視・制御することができるグラフィックカード無線監視制御装置に関する。
【背景技術】
【０００２】
科学技術が発展するにつれて、コンピュータの普及率はますます高くなっており、それにより人々はさらに簡単且つ便利に知識を吸収することができ、コンピュータによって人間の生活様式までもが変わってきた。しかしながら、コンピュータは、グラフィックカードによって映像信号を表示装置に伝送・変換しなければならず、グラフィックカードがデータを処理する時、付加的な熱エネルギーが生じることによって、グラフィックカードの温度が上がる。そのため、一般にグラフィックカード上に冷却装置を設けることで、グラフィックカードの温度を正常に作動する範囲にまで下げ、グラフィックカードが高温のために作動が不安定になったり、故障したりするのを防いでいる。同時に一部のコンピュータ使用者は、グラフィックカードの使用周波数を追求するため、グラフィックカードの処理周波数を随時監視・制御する必要があるとともに、仮にグラフィックカードがオーバークロックして使用されている場合、同時に冷却システムの冷却効率を上げる必要がある。このように、グラフィックカードを用いた監視制御装置は、グラフィックカードを監視・制御することで、グラフィックカードを最適な使用状態にまで調整しやすい。
【０００３】
しかしながら、従来のグラフィックカードの監視制御装置は、コンピュータを用いてグラフィックカードを監視・制御するため、コンピュータから離れる必要があり、グラフィックカードの状態を随時把握することができない。不注意からグラフィックカードが高温により故障する可能性もあり、使用上不便である。
【考案の概要】
【考案が解決しようとする課題】
【０００４】
本考案は、主に、制御部の設計によってグラフィックカードにおけるハードウェアの状態データを監視・制御できるグラフィックカード無線監視制御装置を提供することを目的とする。
【０００５】
本考案は、さらにモバイル制御ソフトウェアの設計によって、モバイル機器が制御部にワイヤレスデータ接続されることにより、使用者がグラフィックカードを無線で監視・制御できる便利なグラフィックカード無線監視制御装置を提供することを目的とする。
【課題を解決するための手段】
【０００６】
上述の目的を達成するために、本考案の主な構造は、グラフィックカードからなる。前記グラフィックカードは、前記グラフィックカードのデータと接続され、前記グラフィックカードにおけるハードウェアの状態データを制御する制御部と、モバイル機器内に設けられたモバイル制御ソフトウェアを備え、前記モバイル制御ソフトウェアは、前記制御部にワイヤレスデータ接続されることによって、前記ハードウェアの状態データを制御し且つ表示する。このように、制御部は、グラフィックカードの作動温度、ファンの回転速度、またはグラフィックカードの処理周波数等のハードウェアにおける状態データを監視・制御することができる。使用者は、モバイル機器によって制御部にワイヤレスデータ接続することができるとともに、グラフィックカードにおけるハードウェアの状態データをリアルタイムで監視・制御でき、使用上非常に便利である。
【考案の効果】
【０００７】
上述の技術により、従来のグラフィックカード監視制御装置に存在するグラフィックカードにおけるハードウェアの状態データを遠距離から無線で監視・制御することができないという問題を解決するすることができ、本考案の上述の長所における実用進歩性を達成することができる。
【図面の簡単な説明】
【０００８】
【図１】本考案の比較的好ましい実施例におけるグラフィックカードの斜視図である。
【図２】本考案の比較的好ましい実施例におけるグラフィックカードの別の角度からの斜視図である。
【図３】本考案の比較的好ましい実施例におけるグラフィックカードの分解図である。
【図４】本考案の比較的好ましい実施例における構造ブロック図である。
【図５】本考案の比較的好ましい実施例における実施を示した図である。
【図６】本考案の比較的好ましい実施例における表示装置を見ている状況を示した図である。
【図７】本考案の比較的好ましい実施例におけるモバイル制御ソフトウェアの使用を示した図である。
【考案を実施するための形態】
【０００９】
参照する図１から図４は、本考案の比較的好ましい実施例におけるグラフィックカードの斜視図から構造ブロック図までである。図から明らかな通り、本考案は、グラフィックカード１と、少なくとも１つのファン１１２と、マザーボード２と、表示装置１１３と、モバイル制御ソフトウェア３１と、からなる。
【００１０】
前記グラフィックカード１は、前記グラフィックカード１のデータに接続された制御部１１を備え、前記グラフィックカード１におけるハードウェアの状態データを制御する。前記ハードウェアの状態データは、作動温度、ファン１１２の回転速度、または処理周波数のうちの１つであるとともに、前記制御部１１は、第１伝送部１１１を備える。
【００１１】
少なくとも１つのファン１１２は、前記制御部１１の上方に設けられる。
【００１２】
マザーボード２は、前記グラフィックカード１の一側に設けられる。
【００１３】
前記制御部１１の一側に設けられるとともに、前記制御部１１のデータに接続された表示装置１１３は、前記グラフィックカード１におけるハードウェアの状態データを表示し、前記表示装置１１３は、ＬＣＤディスプレイまたは７セグメントディスプレイのうちの１つである。
【００１４】
モバイル機器３内に設けられるとともに、前記制御部１１にワイヤレスデータ接続されたモバイル制御ソフトウェア３１は、前記ハードウェアの状態データを制御し且つ表示する。前記モバイル機器３は、第２伝送部３１１を備え、前記第２伝送部３１１は、前記モバイル制御ソフトウェア３１のデータに接続されるとともに、前記第２伝送部３１１は、前記第１伝送部１１１にワイヤレスデータ接続される。
【００１５】
同時に組み合わせて参照する図１から図７は、本考案の比較的好ましい実施例におけるグラフィックカードの斜視図からモバイル制御ソフトウェアの使用を示した図までである。図から明らかな通り、上述の構成部品を組み立てることによって、制御部１１は、グラフィックカード１またはマザーボード２におけるハードウェアの状態データを読み取ることができるとともに、そのハードウェアの状態データを調整することができる。ハードウェアの状態データは、作動温度、ファン１１２の回転速度、または処理周波数のうちの１つである。そのうちファン１１２は、グラフィックカード１及びマザーボード２を放熱することができるとともに、第１伝送部１１１によって第２伝送部３１１にワイヤレスデータ接続されていることで、使用者はモバイル機器３によりモバイル制御ソフトウェア３１を使用することができ、モバイル制御ソフトウェア３１により制御部１１のデータに接続され、グラフィックカード１またはマザーボード２におけるハードウェアの状態データを無線で監視・制御することができ、使用上非常に便利である。第１伝送部１１１と第２伝送部３１１におけるにワイヤレスデータ接続は、ブルートゥース（Ｂｌｕｅｔｏｏｔｈ）（登録商標）通信であるとともに、前記モバイル制御ソフトウェア３１は、アンドロイドシステム（Ａｎｄｒｏｉｄ）またはアップルのオペレーティングシステム（ｉＯＳ）のうちの１つに適合して作動し、市場で一般的に使用されているモバイル機器３のオペレーティングシステムに対応できる。さらに、使用者は、表示装置１１３上に表示されたデータからグラフィックカード１におけるハードウェアの状態データを直接見ることができる。前記表示装置１１３は、ＬＣＤディスプレイまたは７セグメントディスプレイのうちの１つである。
【００１６】
よって、参照した全ての図に示すように、本考案を使用する場合、従来技術と比較して、以下に挙げる長所が存在する。
【００１７】
１、制御部１１の設計によってグラフィックカード１におけるハードウェアの状態データを監視・制御することができる。
【００１８】
２、モバイル制御ソフトウェア３１の設計によってモバイル機器３が制御部１１にワイヤレスデータ接続されることにより、使用者がグラフィックカード１を無線で監視・制御でき、便利である。
【符号の説明】
【００１９】
１      グラフィックカード
１１    制御部
１１１  第１伝送部
１１２  ファン
１１３  表示装置
２      マザーボード
３      モバイル機器
３１    モバイル制御ソフトウェア
３１１  第２伝送部
【図１】
0003213636.tif 000003
【図２】
0003213636.tif 000004
【図３】
0003213636.tif 000005
【図４】
0003213636.tif 000006
【図５】
0003213636.tif 000007
【図６】
0003213636.tif 000008
【図７】
0003213636.tif 000009
【手続補正書】
【提出日】平成29年9月20日(2017.9.20)
【手続補正１】
【補正対象書類名】実用新案登録請求の範囲
【補正対象項目名】請求項８
【補正方法】変更
【補正の内容】
【請求項８】
前記モバイル制御ソフトウェアは、オペレーティングシステムに適合し、作動することを特徴とする、請求項１に記載のグラフィックカード無線監視制御装置。